【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
情報処理装置および印刷装置で構成される、印刷装置の制御システムにおいて、
第１のメンテナンス手段と、
前記第１のメンテナンス手段に比べてメンテナンス内容がより詳細な第２のメンテナンス手段と、
前記情報処理装置に設けられ、前記印刷装置の動作の量を保持する第１の保持手段と、
前記印刷装置に設けられ、前記印刷装置の動作の量を保持する第２の保持手段と、
表示手段と、
前記第１または第２の保持手段に保持された情報を取得する取得手段と、
を備え、
前記表示手段は、前記取得手段が取得した前記情報に応じて、前記表示手段に前記第１または第２のメンテナンス手段のいずれか一方を実行させるための案内を表示することを特徴とする印刷装置の制御システム。
【請求項２】
前記メンテナンスは、前記印刷装置で用いる記録ヘッドの調整に係るメンテナンスであることを特徴とする請求項１に記載の印刷装置の制御システム。  
【請求項３】
前記動作の量は、前記印刷装置において前記記録ヘッドの調整に係わるメンテナンスを実行した回数であることを特徴とする請求項２に記載の印刷装置の制御システム。
【請求項４】
前記第２の保持手段は、さらに前記動作の量に対応したステータス情報を保持し、
前記第２の保持手段が保持する前記動作の量または前記ステータス情報を取得できるか否かを判断する判断手段をさらに備え、
前記判断手段が前記第２の保持手段から、前記動作の量または前記ステータス情報を取得できないと判断したとき、
前記取得手段は前記第１の保持手段から前記動作の量を取得する事を特徴とする請求項１ないし３のいずれか１項に記載の印刷装置の制御システム。
【請求項５】
前記第２の保持手段は、さらに前記動作の量に対応したステータス情報を保持し、
前記第２の保持手段が保持する前記動作の量または前記ステータス情報を取得できるか否かを判断する判断手段をさらに備え、
前記判断手段が前記第２の保持手段から、前記動作の量または前記ステータス情報を取得できると判断したとき、
前記取得手段は前記第２の保持手段から前記動作の量または前記ステータス情報を取得し、前記第１の保持手段の動作の量を、前記取得した内容に応じて修正することを特徴とする請求項１ないし３のいずれか１項に記載の印刷装置の制御システム。
【請求項６】
前記印刷装置の制御システムは、
前記印刷装置が接続された情報処理装置を含む複数の情報処理装置がネットワークを介して接続され、
前記印刷装置が接続された情報処理装置を含まない情報処理装置から前記印刷装置に対して実行する前記メンテナンスは前記第２のメンテナンスであることを特徴とする請求項１ないし５のいずれか１項に記載の印刷装置の制御システム。
【請求項７】
印刷装置にメンテナンスを実行させる情報処理装置において、
前記情報処理装置に設けられ、前記印刷装置の動作の量を保持する第１の保持手段と、
前記印刷装置に設けられ、前記印刷装置の動作の量を保持する第２の保持手段と、
表示手段と、
前記第１または第２の保持手段から前記動作の量を取得する取得手段と、
前記取得手段が取得した前記動作の量に応じて、前記表示手段に記録ヘッドの調整を含む複数のメンテナンスまたは記録ヘッドの調整を含まないメンテナンスのいずれかを実行させるための案内を示すとともに、前記印刷装置に前記メンテナンスを実行させる実行手段と、
を有することを特徴とする情報処理装置。
【請求項８】
前記印刷装置に設けられた前記保持手段は、さらに前記動作の量に対応したステータス情報を保持し、
前記情報処理装置は、前記第２の保持手段から前記動作の量または前記ステータス情報を取得できるか否かを判断する判断手段をさらに備え、
前記判断手段が前記第２の保持手段から、前記動作の量または前記ステータス情報を取得できないと判断したとき、
前記取得手段は前記第１の保持手段から前記動作の量を取得する事を特徴とする請求項７に記載の情報処理装置。
【請求項９】
情報処理装置および印刷装置で構成され、前記情報処理装置を第１のメンテナンス手段と、前記第１のメンテナンス手段に比べてメンテナンス内容がより詳細な第２のメンテナンス手段のいずれか一方を前記印刷装置に実行させる印刷装置の制御システムのプログラムにおいて、前記印刷装置の動作の量を前記印刷装置の保持手段に保持する第１の保持ステップと、
前記印刷装置の動作の量を前記情報処理装置の保持手段に保持する第２の保持ステップと、
前記第１または第２の保持手段から前記動作の量を取得する取得ステップと、
前記取得ステップで取得した前記動作の量に応じて、表示手段に前記第１または第２のメンテナンスのいずれか一方を前記印刷装置に実行させるための案内を表示するステップと、
前記印刷装置に前記メンテナンスを実行させる実行ステップと、
を有したことを特徴とするプログラム。
【請求項１０】
情報処理装置および印刷装置で構成される印刷装置の制御システムにおいて、
記録ヘッドの調整を行なう第１のメンテナンス手段と、
前記第１のメンテナンス手段に比べてより詳細な記録ヘッドの調整を行なう第２のメンテナンス手段と、
前記情報処理装置に設けられ前記印刷装置における動作の量を保持する第１の保持手段と、
前記印刷装置に設けられ前記印刷装置における動作の量および前記動作の量に応じたステータス情報を保持する第２の保持手段と、
表示手段と、
前記第１または第２の保持手段に保持される情報を取得する取得手段と、
前記第２の保持手段から前記情報を取得できるか否かを判断する判断手段を備え、
前記判断手段が前記第２の保持手段から前記情報を取得できないと判断した場合には、前記第１の保持手段に保持される前記情報を取得し、
前記判断手段が前記第２の保持手段から前記情報を取得できると判断した場合には、前記第２の保持手段に保持される前記情報を取得し、
前記取得手段が取得した前記情報に応じて、前記ユーザインターフェースに前記第１または前記第２のメンテナンスを実行させるための案内を表示し、
前記第１または前記第２のメンテナンスを前記印刷装置に実行させることを特徴とする印刷装置の制御システム。
【手続補正２】
【補正対象書類名】明細書
【補正対象項目名】００１５
【補正方法】変更
【補正の内容】
【００１５】
そのために本発明では、情報処理装置および印刷装置で構成される、印刷装置の制御システムにおいて、第１のメンテナンス手段と、前記第１のメンテナンス手段に比べてメンテナンス内容がより詳細な第２のメンテナンス手段と、前記情報処理装置に設けられ、前記印刷装置の動作の量を保持する第１の保持手段と、前記印刷装置に設けられ、前記印刷装置の動作の量を保持する第２の保持手段と、表示手段と、前記第１または第２の保持手段に保持された情報を取得する取得手段と、を備え、前記表示手段は、前記取得手段が取得した前記情報に応じて、前記表示手段に前記第１または第２のメンテナンス手段のいずれか一方を実行させるための案内を表示することを特徴とする。
【手続補正３】
【補正対象書類名】明細書
【補正対象項目名】００１６
【補正方法】変更
【補正の内容】
【００１６】
また、印刷装置にメンテナンスを実行させる情報処理装置において、前記情報処理装置に設けられ、前記印刷装置の動作の量を保持する第１の保持手段と、前記印刷装置に設けられ、前記印刷装置の動作の量を保持する第２の保持手段と、表示手段と、前記第１または第２の保持手段から前記動作の量を取得する取得手段と、前記取得手段が取得した前記動作の量に応じて、前記表示手段に記録ヘッドの調整を含む複数のメンテナンスまたは記録ヘッドの調整を含まないメンテナンスのいずれかを実行させるための案内を示すとともに、前記印刷装置に前記メンテナンスを実行させる実行手段と、を有することを特徴とする。
さらに、情報処理装置および印刷装置で構成される印刷装置の制御システムにおいて、記録ヘッドの調整を行なう第１のメンテナンス手段と、前記第１のメンテナンス手段に比べてより詳細な記録ヘッドの調整を行なう第２のメンテナンス手段と、前記情報処理装置に設けられ前記印刷装置における動作の量を保持する第１の保持手段と、前記印刷装置に設けられ前記印刷装置における動作の量および前記動作の量に応じたステータス情報を保持する第２の保持手段と、表示手段と、前記第１または第２の保持手段に保持される情報を取得する取得手段と、前記第２の保持手段から前記情報を取得できるか否かを判断する判断手段を備え、前記判断手段が前記第２の保持手段から前記情報を取得できないと判断した場合には、前記第１の保持手段に保持される前記情報を取得し、前記判断手段が前記第２の保持手段から前記情報を取得できると判断した場合には、前記第２の保持手段に保持される前記情報を取得し、前記取得手段が取得した前記情報に応じて、前記ユーザインターフェースに前記第１または前記第２のメンテナンスを実行させるための案内を表示し、前記第１または前記第２のメンテナンスを前記印刷装置に実行させることを特徴とする。